(57)【要約】【課題】建物の奥部に十分な採光を得ることができると共に、建物内部の空間を効率良く利用して、大きなスペースの収納空間を確保することのできる採光収納構造部分を備える建物を提供する。【解決手段】  屋外に面した外壁１４から建物の奥部に並べて配置された中２階居室部１５とＬ字状階段部１６と吹抜け部１７とからなる採光収納構造部分１３を備える建物１０であって、中２階居室部１５が、床下部分に０．５階層分の高さの収納庫１８を配置して１．５階層分の高さで設けられると共に、屋外に面した外壁１４に採光窓１９を有している。Ｌ字状階段部１６は、１階と中２階との間の下部階段１６ａと、中２階と２階との間の上部階段１６ｂとからなり、吹抜け部１７は、少なくともＬ字状階段部１６の下部階段１６ａ及び上部階段１６ｂによって２辺を囲まれるこれらの内側の矩形形状部分に設けられる。【選択図】図１
2008008117.tif 000002
【特許請求の範囲】
【請求項１】
屋外に面した外壁から建物の奥部に並べて配置された中２階居室部とＬ字状階段部と吹抜け部とからなる採光収納構造部分を備える建物であって、
前記中２階居室部が、床下部分に０．５階層分の高さの収納庫を配置して１．５階層分の高さで設けられると共に、屋外に面した外壁に採光窓を有しており、
前記Ｌ字状階段部は、前記中２階居室部の前記屋外に面した外壁とは反対側の縁部に沿って設けられた１階と中２階との間の下部階段と、前記中２階居室部の前記屋外に面した外壁と垂直な側縁部の延長線に沿って設けられた中２階と２階との間の上部階段とからなり、
前記吹抜け部は、少なくとも前記Ｌ字状階段部の下部階段及び上部階段によって２辺を囲まれるこれらの内側の矩形形状部分に設けられることを特徴とする採光収納構造部分を備える建物。
【請求項２】
前記吹抜け部の前記奥部側に隣接して、１階居室部が設けられる請求項１に記載の採光収納構造部分を備える建物。
【請求項３】
前記吹抜け部が１階の床面から１．５階層分の高さで設けられ、前記吹抜け部の上方に、上階部分から出し入れ可能な第２収納庫が設けられる請求項１又は２に記載の採光収納構造部分を備える建物。
【発明の詳細な説明】
【技術分野】
【０００１】
本発明は、採光及び収納を効率良く行うことのできる採光収納構造部分を備える建物に関する。
【背景技術】
【０００２】
屋外に面する外壁から離れた建物の奥部に光を効果的に採光できるようにする構造として、建物の内部に吹き抜け部を設けると共に、これの天端部分に天窓を配置したものが知られている（例えば、特許文献１参照）。
【０００３】
また、床面に高低差を設けて天井高に差を設けた室を下階に配置し、これらの天井高の差に応じて室間の床面に高低差を設けた室を上階に配置し、高床面室の床面から屋根裏までの空間を蔵型収納空間として、デッドスペースであった吹抜けの上部空間を有効利用するようにした蔵型収納付き建物も開示されている（例えば、特許文献２参照）。
【特許文献１】特開２００１−１９３２９４号公報
【特許文献２】特開平６−３２３０１０号公報
【発明の開示】
【発明が解決しようとする課題】
【０００４】
一方、屋外に面する外壁から離れて設けた吹抜けの上部空間を収納部として利用しようとすると、天窓からの採光が遮断されて建物の奥部に十分な採光が得られなくなる。また、近年、生活に使用する日用品や家具類等の物品の種類も多種多様となってきており、例えば季節に応じてこれらの物品を交換しながら使用する機会も多いことから、建物内部の空間を効率良く利用して、建物に大きなスペースの収納空間を確保することが要望されている。
【０００５】
本発明は、このような従来の課題に着目してなされたものであり、建物の奥部に十分な採光を得ることができると共に、建物内部の空間を効率良く利用して、大きなスペースの収納空間を確保することのできる採光収納構造部分を備える建物を提供することを目的とする。
【課題を解決するための手段】
【０００６】
本発明は、屋外に面した外壁から建物の奥部に並べて配置された中２階居室部とＬ字状階段部と吹抜け部とからなる採光収納構造部分を備える建物であって、前記中２階居室部が、床下部分に０．５階層分の高さの収納庫を配置して１．５階層分の高さで設けられると共に、屋外に面した外壁に採光窓を有しており、前記Ｌ字状階段部は、前記中２階居室部の前記屋外に面した外壁とは反対側の縁部に沿って設けられた１階と中２階との間の下部階段と、前記中２階居室部の前記屋外に面した外壁と垂直な側縁部の延長線に沿って設けられた中２階と２階との間の上部階段とからなり、  前記吹抜け部は、少なくとも前記Ｌ字状階段部の下部階段及び上部階段によって２辺を囲まれるこれらの内側の矩形形状部分に設けられることを特徴とする採光収納構造部を備える建物を提供することにより、上記目的を達成したものである。
【０００７】
ここで、上記記載における０．５階層分の高さは、一般に２３０〜４００ｃｍ程度の高さを有する１階層分の高さの中間部分に位置する高さを略称するものであり、１階層分の高さの１／２の高さの他、１階層分の高さの４０〜７５％程度の高さを含むものである。また上記記載における１．５階層分の高さは、一般に２３０〜４００ｃｍ程度の高さを有する１階層分の高さに、これの略半分程度の高さを加えて、１階層分の高さと２階層分の高さの中間部分に位置する高さを略称するものであり、１階層分の高さの１．５倍の高さの他、１階層分の高さの１．４０〜１．７５倍程度の高さを含むものである。
【０００８】
そして、本発明の採光収納構造部分を備える建物は、前記吹抜け部の前記奥部側に隣接して、１階居室部が設けられていることが好ましい。
【０００９】
また、本発明の採光収納構造部を備える建物は、前記吹抜け部が１階の床面から１．５階層分の高さで設けられ、前記吹抜け部の上方に、上階部分から出し入れ可能な第２収納庫が設けられていることが好ましい。
【００１０】
本発明の採光収納構造部分を備える建物によれば、上記屋外に面した外壁から建物の奥部に並べて配置された中２階居室部とＬ字状階段部と吹抜け部とからなる採光収納構造部分を備えることにより、中２階居室部の屋外に面した外壁に設けられた採光窓から入射した光は、建物の奥部に向けて段階的に床面が低くなった中２階居室部、Ｌ字状階段部の下部階段、及び吹抜け部を介して、吹抜け部の奥まで届きやすくなり、これによって、吹抜け部の天端部分に天窓が設けられていなくても、屋外に面する外壁から離れた建物の奥部に十分な採光を得ることが可能になる。また中２階居室部の床下部分の０．５階層分の高さの収納庫によって、十分な大きさの収納空間を確保することが可能になる。
【００１１】
また、前記吹抜け部の前記奥部側に隣接して、１階居室部を設けておくことにより、当該１階居室部に中２階居室部の採光窓から入射した光を至らせて、明るい雰囲気の１階居室部を形成することが可能になる。
【００１２】
さらに、前記吹抜け部を１階の床面から１．５階層分の高さで設け、前記吹抜け部の上方に、上階部分から出し入れ可能な第２収納庫を設けておくことにより、上階部分から利用し易い収納空間を確保することが可能になる。
【発明の効果】
【００１３】
本発明の採光収納構造部分を備える建物によれば、建物の奥部に十分な採光を得ることができると共に、建物内部の空間を効率良く利用して、大きなスペースの収納空間を確保することができる。
【発明を実施するための最良の形態】
【００１４】
本発明の好ましい一実施形態に係る採光収納構造部分を備える建物１０は、図１示すように、例えば北側が道路１１に面した敷地１２に建築される住宅建築物として採用されたものである。すなわち、本実施形態では、建物１０が建築される敷地１２は、南北方向に縦長の矩形形状を有しており、その東側及び西側に隣接する敷地や、南東側、南側、南西側に隣接する敷地にも建物が建築されている。したがって、本実施形態の建物１０は、特に南側に隣接する敷地に建築された建物に遮られて、太陽光からの光を採光し難くなっているので、後述する採光収納構造部分１３を設けて、図２に示すように、屋外に面した南側の外壁１４から建物１０の奥部に十分な採光が得られるようにすると共に、建物内部の空間を効率良く利用して、大きなスペースの収納空間を確保できるようにするものである。
【００１５】
そして、本実施形態の建物１０は、図２〜図４に示すように、屋外に面した南側の外壁１４から建物１０の奥部に並べて配置された中２階居室部１５とＬ字状階段部１６と吹抜け部１７とからなる採光収納構造部分１３を備える住宅建築物であって、中２階居室部１５は、床下部分に０．５階層分の高さの収納庫１８を配置して１．５階層分の高さで設けられると共に、屋外に面した外壁１４に採光窓１９を有している。またＬ字状階段部１６は、中２階居室部１５の屋外に面した外壁１４とは反対側の北側縁部１５ａに沿って設けられた１階と中２階との間の下部階段１６ａと、中２階居室部１５の屋外に面した外壁１４と垂直な側縁部１５ｂの延長線に沿って設けられた中２階と２階との間の上部階段１６ｂとからなり、吹抜け部１７は、少なくともＬ字状階段部１６の下部階段１６ａ及び上部階段１６ｂによって２辺を囲まれるこれらの内側の矩形形状部分に設けられている。
【００１６】
本実施形態の建物１０の１階部分には、その北東の角部分に玄関２０が設けられており、玄関２０の南側には、玄関ホールを兼ねる廊下２１が東西方向に延設して設けられている（図３（ａ）参照）。廊下２１の北側には、玄関２０の西側に隣接して洗面脱衣所２２及び北西の角部分に配設されるバスルーム２３が設けられている。廊下２１の西側端部には、バスルーム２３の南側に隣接して、トイレ２４が設けられている。
【００１７】
廊下２１及びトイレ２４の南側には、西側に配置されたキッチン２５と、東側に配置されたダイニング２６とからなるダイニングキッチンが設けられている。ダイニング２６は、後述する採光収納構造部分１３の吹抜け部１７の、建物１０の奥部側に隣接する１階居室部を構成している。ダイニングキッチンの南側には、キッチン２５に隣接して和室２７が、ダイニング２６に隣接して中２階居室部１５であるリビングが設けられている。
【００１８】
リビング１５は、その床面の高さが、１階部分の床面であるダイニング２６の床面よりも０．５階層分高くなっており、その床下部分には、中２階居室部１５であるリビングの略全域に亘る広さの収納庫１８が、０．５階層分の高さで設けられている（図２参照）。収納庫１８の周囲には、中２階居室部１５の床面と、和室２７やダイニング２６の床面との間の段差開口部を閉塞するようにして周壁２８が設けられており、この周壁２８には、和室２７やダイニング２６との間で収納物品の搬入、搬出を行う収納用出入口が、適宜の位置に、例えば開閉扉によって開閉可能に設けられている。収納庫１８を囲う外壁１４，２９には、窓３０が適宜の位置に設けられている。
【００１９】
また、リビング１５の屋外に面した南側の外壁１４には、相当に大きさの採光窓１９が設けられ、太陽光を効果的に屋内に取り込めるようになっていると共に、東側の外壁２９にも、適宜の位置に窓３１が設けられている（図３（ａ）参照）。
【００２０】
さらに、リビング１５の北側には、南側の外壁１４とは反対側の北側縁部１５ａに沿って、１階と中２階との間の下部階段１６ａが設けられていると共に、南側の外壁１４と垂直な東側の外壁２９に隣接する側縁部１５ｂの延長線に沿って、中２階と２階との間の上部階段１６ｂが設けられている。下部階段１６ａと上部階段１６ｂは、中２階居室部１５の北東角部に配置された踊り場部１６ｃを挟んで平面形状が直角に折れ曲がったＬ字状階段部１６を形成する。下部階段１６ａの両側に配置された、中２階居室部１５の北側縁部１５ａに沿って設けられた手摺３２ａと、下部階段１６ａの北側縁部に沿って設けられた手摺３２ｂとは、いずれも透光性材料によって構成されていて、採光収納構造部分１３によって採光窓１９から吹抜け部１７に至る光を遮らないようになっている。
【００２１】
さらにまた、本実施形態では、Ｌ字状階段部１６の下部階段１６ａの北側の、下部階段１６ａ及び上部階段１６ｂによって２辺を囲まれるこれらの内側の矩形形状部分は、下部階段１６ａの直上部分も含めて、吹抜け部１７となっている。吹抜け部１７は、ダイニング２６の南側部分に重なるように配置され、ダイニング２６の床面から２階部分の天井面に至る、２階層分の高さで設けられている。
【００２２】
そして、本実施形態では、Ｌ字状階段部１６の上部階段１６ｂを介して中２階居室部１５から昇降可能な建物１０の２階部分（上階部分）には、上部階段１６ｂの北側に隣接して、２階ホールを兼ねる廊下３３が、東西方向に延設すると共に、西側端部で南側に折れ曲がって設けられている（図３（ｂ）参照）。廊下３３の北側には、第１寝室３４が、２階部分の北東部分に配置されて設けられており、第１寝室３４の西側には、第２寝室３５が、２階部分の北西部分に配置されて設けられている。第１寝室３４の上方には、ロフト３６が設けられている（図２参照）。
【００２３】
また、廊下３３南側には、クローゼット３７付きの第３寝室３８が、２階部分の南西部分に配置されて設けられている。第３寝室３８の北側のクローゼット３７と第２寝室３５との間には、トイレ３９が、廊下３３の西側端部に配置して設けられている（図３（ｂ）参照）。第３寝室３８の南側には、バルコニー４０が設けられている。
【００２４】
さらにまた、本実施形態では、廊下３３の南側及び第３寝室３８の東側に位置する２階部分の南東部分は、中２階居室部１５、Ｌ字状階段部１６、及び吹抜け部１７からなる採光収納構造部分１３の吹抜け部分となっている。また廊下３３の当該吹抜け部分に面した縁部には、透光性材料によって形成された落下防止用の手摺４１が設けられている。
【００２５】
そして、上述の構成を備える本実施形態の建物１０によれば、図４に示すような屋外に面した南側の外壁１４から建物１０の奥部に並べて配置された、中２階居室部１５とＬ字状階段部１６と吹抜け部１７とからなる採光収納構造部分１３を備えているので、建物１０の奥部に十分な採光を得ることが可能になると共に、建物内部の空間を効率良く利用して、大きなスペースの収納空間を確保することが可能になる。
【００２６】
すなわち、本実施形態によれば、中２階居室部１５が、床下部分に０．５階層分の高さの収納庫１８を配置して１．５階層分の高さで設けられていると共に、屋外に面した外壁１４に採光窓１９を有しており、Ｌ字状階段部１６は、中２階居室部１５の屋外に面した外壁１４とは反対側の縁部１５ａに沿って設けられた１階と中２階との間の下部階段１６ａと、中２階居室部１５の屋外に面した外壁１４と垂直な側縁部１５ｂの延長線に沿って設けられた中２階と２階との間の上部階段１６ｂとからなり、吹抜け部１７は、少なくともＬ字状階段部１６の下部階段１６ａ及び上部階段１６ｂによって２辺を囲まれるこれらの内側の矩形形状部分に設けられているので、図２に示すように、中２階居室部１５の屋外に面した外壁１４に設けられた採光窓１９から入射した光は、建物１０の奥部に向けて段階的に床面が低くなった中２階居室部１５、Ｌ字状階段部１６の下部階段１６ａ、及び吹抜け部１７を介して、吹抜け部１７の奥まで届きやすくなり、これによって、吹抜け部１７の天端部分に天窓が設けられていなくても、屋外に面する外壁１４から離れた建物１４の奥部に十分な採光を得ることが可能になる。また中２階居室部１５の床下部分の略全域に亘る０．５階層分の高さの収納庫１８によって、十分な大きさの収納空間を確保することが可能になる。
【００２７】
また、吹抜け部１７の建物１４の奥部側に隣接して、ダイニング２６が１階居室部として設けられているので、このダイニング２６に中２階居室部１５の採光窓１９から入射した光を効果的に至らせて、明るい雰囲気のダイニング２６を形成することが可能になる。
【００２８】
図５は、本発明の他の実施形態に係る採光収納構造部分を備える建物１０’を示すものである。図５の建物１０’は、上記実施形態の建物１０と略同様の構成を備える他、吹抜け部１７が１階の床面から１．５階層分の高さで設けられており、吹抜け部１７の上方を床板４２ａ及び壁板４２ｂ，４２ｃで区画して、２階部分（上階部分）から出し入れ可能な第２収納庫４３が設けられている。吹抜け部１７の上方に第２収納庫４３を設けておくことにより、採光窓１９から吹抜け部１７に至る光を遮ることなく、２階部分から利用し易い収納空間を確保することが可能になる。また、第２収納庫４３は、その天井部を２階の屋根裏部分４４に食い込ませて設けることにより、より大きな収納空間を確保することが可能になる。
【００２９】
なお、本発明は上記各実施形態に限定されることなく種々の変更が可能である。例えば、本発明の建物は、南北方向に縦長の矩形形状の敷地に建築する必要は必ずしも無く、採光収納構造部分は、中２階居室部の屋外に面した外壁を南側に向けて配置したものである必要は必ずしも無い。中２階居室部の外壁を南側以外の例えば西側やその他の方向に向けて配置し、中２階居室部から建物の奥部に向けてＬ字状階段部と吹抜け部を配置したものであっても良い。また、吹抜け部の奥部側に隣接して配置される１階居室部は、ダイニングである必要は必ずしも無く、例えば障子戸で仕切った和室等のその他の居室部であっても良い。さらに、中２階居室部とＬ字状階段部と吹抜け部とからなる図４に示すような採光収納構造部分は、中２階居室部の外壁を屋外に面して配置した状態で、建物の任意の位置に配設することができ、３階建て以上の建物において、例えば２階部分を１階部分として、２階よりも上方のフロアに設けることもできる。
【図面の簡単な説明】
【００３０】
【図１】本発明の好ましい一実施形態に係る採光収納構造部分を備える建物が建築される敷地を説明する略示平面図である。
【図２】本発明の好ましい一実施形態に係る採光収納構造部分を備える建物の構成を説明する、図３（ａ），（ｂ）のＡ−Ａに沿った略示断面図である。
【図３】本発明の好ましい一実施形態に係る採光収納構造部分を備える建物の構成を説明する、（ａ）は１階部分の間取り図、（ｂ）は２階部分の間取り図である。
【図４】採光収納構造部分の略示平面図である。
【図５】本発明の好ましい他の実施形態に係る採光収納構造部分を備える建物の構成を説明する、図３（ａ），（ｂ）のＡ−Ａに沿った略示断面図である。
【符号の説明】
【００３１】
１０，１０’  採光収納構造部分を備える建物
１３  採光収納構造部分
１４  屋外に面した南側の外壁
１５  中２階居室部（リビング）
１５ａ  中２階居室部の北側縁部
１５ｂ  中２階居室部の側縁部
１６  Ｌ字状階段部
１６ａ  下部階段
１６ｂ  上部階段
１６ｃ  踊り場部
１７  吹抜け部
１８  収納庫
１９  採光窓
２６  ダイニング（１階居室部）
３２ａ，３２ｂ，４１  透光性材料からなる手摺
４３  第２収納庫
【図１】
2008008117.tif 000003
【図２】
2008008117.tif 000004
【図３】
2008008117.tif 000005
【図４】
2008008117.tif 000006
【図５】
2008008117.tif 000007